(57)【要約】【課題】同一の画像を、同一の階調数で識別することができるカラーユニバーサルデザインで配色されたカラーマッピング画像を表示する。【解決手段】グループ生成部１０は、３色覚者及び２色覚者双方が同じ階調数で区別可能な少なくとも１つの配色パターンを用いて表示される連続領域に、複数の領域をグループ分けし、連続領域のグループ（グループ情報２２）を生成する。付加情報生成部１１は、グループ同士を２色覚者でも３色覚者でも区別可能に表示するための付加情報２３を、生成されたグループ毎に生成する。配色パターン割り当て部１２は、グループ毎に生成された付加情報２３に従って、グループ毎に配色パターン２１を割り当てる。画像データ生成部１３は、グループ毎に付与された付加情報２３と、グループ毎に割り当てられた配色パターン割り当て情報２４と、に基づいて、カラーマッピング画像データ２５を生成する。【選択図】図１
2020036150.tif 000002
【特許請求の範囲】
【請求項１】
複数の領域から成る２次元画像の各領域に色を割り当てるカラーマッピングを行うカラーマッピング装置であって、
３色覚者及び２色覚者双方が同じ階調数で区別可能な少なくとも１つの配色パターンを用いて表示される連続領域に、前記複数の領域をグループ分けし、前記連続領域のグループを生成するグループ生成部と、
前記グループ同士を２色覚者でも３色覚者でも区別可能に表示するための付加情報を、生成された前記グループ毎に生成する付加情報生成部と、
前記グループ毎に生成された付加情報に従って、前記グループ毎に前記配色パターンを割り当てる配色パターン割り当て部と、
前記グループ毎に付与された付加情報と、前記グループ毎に割り当てられた前記配色パターンと、に基づいて、前記２次元画像のカラーマッピング画像データを生成する画像データ生成部と、
を備えるカラーマッピング装置。
【請求項２】
前記付加情報生成部は、
前記グループ毎に異なる前記配色パターンの表示シーケンスに関する情報を、前記付加情報として、前記グループ毎に付与する、
請求項１に記載のカラーマッピング装置。
【請求項３】
前記付加情報生成部は、
前記表示シーケンスに関する情報として、前記配色パターンを切り換え表示するか否かを示す情報と、前記配色パターンを切り換える場合の前記グループ毎に異なる切り換え周期とを、前記グループ毎に付与する、
請求項２に記載のカラーマッピング装置。
【請求項４】
前記付加情報生成部は、
前記表示シーケンスに関する情報として、前記配色パターンを点滅表示するか否かを示す情報と、前記配色パターンを切り換える場合の前記グループ毎に異なる点滅周期とを、前記グループ毎に付与する、
請求項２に記載のカラーマッピング装置。
【請求項５】
前記付加情報生成部は、
前記グループ毎に異なる前記配色パターンが形成される高さに関する情報を、前記付加情報として、前記グループ毎に付与する、
請求項１に記載のカラーマッピング装置。
【請求項６】
前記配色パターンでは、
有彩色と無彩色とが交互に配列されている、
請求項１から５のいずれか一項に記載のカラーマッピング装置。
【請求項７】
前記配色パターンは、
明度及び彩度が異なり、色相が同系統である複数の色で構成される、
請求項１から５のいずれか一項に記載のカラーマッピング装置。
【請求項８】
前記配色パターン割り当て部は、
同じ領域において、有彩色と無彩色とが、切り換え表示されるように、前記配色パターンを割り当てる、
請求項３に記載のカラーマッピング装置。
【請求項９】
複数の領域から成る２次元画像の各領域に色を割り当てるカラーマッピングを行うカラーマッピング方法であって、
３色覚者及び２色覚者双方が同じ階調数で区別可能な少なくとも１つの配色パターンを用いて表示される連続領域に、前記複数の領域をグループ分けし、前記連続領域のグループを生成するグループ生成ステップと、
前記グループ同士を２色覚者でも３色覚者でも区別可能に表示するための付加情報を、生成された前記グループ毎に生成する付加情報生成ステップと、
前記グループ毎に生成された付加情報に従って、前記グループ毎に前記配色パターンを割り当てる配色パターン割り当てステップと、
前記グループ毎に付与された付加情報と、前記グループ毎に割り当てられた前記配色パターンと、に基づいて、前記２次元画像のカラーマッピング画像データを生成する画像データ生成ステップと、
を含むカラーマッピング方法。
【請求項１０】
複数の領域から成る２次元画像の各領域に色を割り当てるカラーマッピングを行うコンピュータを、
３色覚者及び２色覚者双方が同じ階調数で区別可能な少なくとも１つの配色パターンを用いて表示される連続領域に、前記複数の領域をグループ分けし、前記連続領域のグループを生成するグループ生成部、
前記グループ同士を２色覚者でも３色覚者でも区別可能に表示するための付加情報を、生成された前記グループ毎に生成する付加情報生成部、
前記グループ毎に生成された付加情報に従って、前記グループ毎に前記配色パターンを割り当てる配色パターン割り当て部、
前記グループ毎に付与された付加情報と、前記グループ毎に割り当てられた前記配色パターンと、に基づいて、前記２次元画像のカラーマッピング画像データを生成する画像データ生成部、
として機能させるプログラム。
【発明の詳細な説明】
【技術分野】
【０００１】
本発明は、カラーマッピング装置、カラーマッピング方法及びプログラムに関する。
【背景技術】
【０００２】
近年、気象解析・予測技術の高度化や詳細化により、短時間雨量などのきめ細かい情報が広く提供されるようになっている。これらの情報は、人命にかかわる重要な情報であるにも拘らず、多数の色を用いたカラーマッピング形式の画像で表示されている。
【０００３】
多数の色を用いてカラーマッピング形式で表示された画像は、３色覚者であっても赤と紫などの情報の区別が難しく、とりわけ２色覚者には非常に弁別困難な状況（例えば青と紫）になっている。また、２色覚者には見分けのつかない緑と赤が同時に使用されている画像を表示するサイトも存在する。そこで、オリジナル画像から、２色覚者でも認識可能な画像を生成する装置等が開示されている（例えば、特許文献１〜３参照）。
【先行技術文献】
【特許文献】
【０００４】
【特許文献１】特開２０１５−０００３００号公報
【特許文献２】特開２０１０−２６４７７７号公報
【特許文献３】特開２００５−３４６２７３号公報
【発明の概要】
【発明が解決しようとする課題】
【０００５】
上述した特許文献１〜３に記載の装置等は、いずれも、３色覚者向けのオリジナル画像があり、その後、それに加工を加えた２色覚者向けの画像を生成し、両者を切替え表示するものである。これらの装置は、３色覚者であっても、２色覚者であっても、同一の画像を同一の階調数で同じように区別可能なカラーユニバーサルデザインを提供するものではない。
【０００６】
本発明は、上記実情に鑑みてなされたものであり、３色覚者であっても、２色覚者であっても、同一の画像を同一の階調数で区別することができるカラーユニバーサルデザインで配色されたカラーマッピング画像を表示することができるカラーマッピング装置、カラーマッピング方法及びプログラムを提供することを目的とする。
【課題を解決するための手段】
【０００７】
上記目的を達成するため、本発明の第１の観点に係るカラーマッピング装置は、
複数の領域から成る２次元画像の各領域に色を割り当てるカラーマッピングを行うカラーマッピング装置であって、
３色覚者及び２色覚者双方が同じ階調数で区別可能な少なくとも１つの配色パターンを用いて表示される連続領域に、前記複数の領域をグループ分けし、前記連続領域のグループを生成するグループ生成部と、
前記グループ同士を２色覚者でも３色覚者でも区別可能に表示するための付加情報を、生成された前記グループ毎に生成する付加情報生成部と、
前記グループ毎に生成された付加情報に従って、前記グループ毎に前記配色パターンを割り当てる配色パターン割り当て部と、
前記グループ毎に付与された付加情報と、前記グループ毎に割り当てられた前記配色パターンと、に基づいて、前記２次元画像のカラーマッピング画像データを生成する画像データ生成部と、
を備える。
【０００８】
この場合、前記付加情報生成部は、
前記グループ毎に異なる前記配色パターンの表示シーケンスに関する情報を、前記付加情報として、前記グループ毎に付与する、
こととしてもよい。
【０００９】
また、前記付加情報生成部は、
前記表示シーケンスに関する情報として、前記配色パターンを切り換え表示するか否かを示す情報と、前記配色パターンを切り換える場合の前記グループ毎に異なる切り換え周期とを、前記グループ毎に付与する、
こととしてもよい。
【００１０】
前記付加情報生成部は、
前記表示シーケンスに関する情報として、前記配色パターンを点滅表示するか否かを示す情報と、前記配色パターンを切り換える場合の前記グループ毎に異なる点滅周期とを、前記グループ毎に付与する、
こととしてもよい。
【００１１】
前記付加情報生成部は、
前記グループ毎に異なる前記配色パターンが形成される高さに関する情報を、前記付加情報として、前記グループ毎に付与する、
こととしてもよい。
【００１２】
前記配色パターンでは、
有彩色と無彩色とが交互に配列されている、
こととしてもよい。
【００１３】
前記配色パターンは、
明度及び彩度が異なり、色相が同系統である複数の色で構成される、
こととしてもよい。
【００１４】
前記配色パターン割り当て部は、
同じ領域において、有彩色と無彩色とが、切り換え表示されるように、前記配色パターンを割り当てる、
こととしてもよい。
【００１５】
本発明の第２の観点に係るカラーマッピング方法は、
複数の領域から成る２次元画像の各領域に色を割り当てるカラーマッピングを行うカラーマッピング方法であって、
３色覚者及び２色覚者双方が同じ階調数で区別可能な少なくとも１つの配色パターンを用いて表示される連続領域に、前記複数の領域をグループ分けし、前記連続領域のグループを生成するグループ生成ステップと、
前記グループ同士を２色覚者でも３色覚者でも区別可能に表示するための付加情報を、生成された前記グループ毎に生成する付加情報生成ステップと、
前記グループ毎に生成された付加情報に従って、前記グループ毎に前記配色パターンを割り当てる配色パターン割り当てステップと、
前記グループ毎に付与された付加情報と、前記グループ毎に割り当てられた前記配色パターンと、に基づいて、前記２次元画像のカラーマッピング画像データを生成する画像データ生成ステップと、
を含む。
【００１６】
本発明の第３の観点に係るプログラムは、
複数の領域から成る２次元画像の各領域に色を割り当てるカラーマッピングを行うコンピュータを、
３色覚者及び２色覚者双方が同じ階調数で区別可能な少なくとも１つの配色パターンを用いて表示される連続領域に、前記複数の領域をグループ分けし、前記連続領域のグループを生成するグループ生成部、
前記グループ同士を２色覚者でも３色覚者でも区別可能に表示するための付加情報を、生成された前記グループ毎に生成する付加情報生成部、
前記グループ毎に生成された付加情報に従って、前記グループ毎に前記配色パターンを割り当てる配色パターン割り当て部、
前記グループ毎に付与された付加情報と、前記グループ毎に割り当てられた前記配色パターンと、に基づいて、前記２次元画像のカラーマッピング画像データを生成する画像データ生成部、
として機能させる。
【発明の効果】
【００１７】
本発明によれば、２色覚者でも３色覚者でも区別可能な配色パターンで表示された連続領域のグループに、グループ同士を２色覚者でも３色覚者でも区別可能に表示する付加情報を付与する。このため、各グループの領域を、配色パターン及び付加情報に従って表示すれば、区別可能な配色パターンでグループ内の領域を表示しつつ、グループ同士も区別可能な方法で２次元画像を表示することができる。これにより、区別可能な配色の階調数を実質的に増やすことができるので、２色覚者であっても３色覚者であっても、同一の画像を、同一の階調数で区別することができるカラーユニバーサルデザインで配色されたカラーマッピング画像を表示することができる。
【図面の簡単な説明】
【００１８】
【図１】本発明の実施の形態１に係るカラーマッピング装置の構成を示すブロック図である。
【図２】表示される２次元画像における複数の領域の一例を示す図である。
【図３】配色パターンの一例を示す図である。
【図４】（Ａ）〜（Ｃ）は、配色パターンにおける具体的な配色の一例を示す図である。
【図５】各種情報の一例を示す図である。
【図６】配色パターンの表示シーケンスを示す図である。
【図７】（Ａ）及び（Ｂ）は、切り換え表示されるカラーマッピング画像データを示す図である。
【図８】図１のデータマッピング装置のハードウエア構成を示すブロック図である。
【図９】図１のカラーマッピング装置の動作を示すフローチャートである。
【図１０】グループが３つ形成された場合の配色パターンの表示シーケンスを示す図である。
【図１１】本発明の実施の形態２に係るカラーマッピング装置の構成を示すブロック図である。
【図１２】各種情報の一例を示す図である。
【図１３】３次元プリンタで形成される印刷物を示す図である。
【発明を実施するための形態】
【００１９】
以下、本発明の実施の形態について図面を参照して詳細に説明する。全図において、同一又は相当する構成要素には、同一の符号が付されている。
【００２０】
実施の形態１．
まず、本発明の実施の形態１について説明する。
【００２１】
図１に示すように、本実施の形態に係るカラーマッピング装置１Ａは、情報処理を行う情報処理部２と、データを記憶する記憶部３と、表示ディスプレイである表示装置４Ａと、を備える。表示装置４Ａは、カラーマッピング装置１Ａによりカラーマッピングされた２次元画像を画面に表示する。
【００２２】
本実施の形態では、図２に示す２次元画像Ｐをカラーマッピングする場合について説明する。図２に示すように、２次元画像Ｐは、複数の領域Ａ１〜Ａ８から成る２次元画像である。領域Ａ１は、円形の領域であり、領域Ａ２〜Ａ８は、領域Ａ１を中心とする円環状の領域である。本実施の形態では、カラーマッピング装置１Ａは、２次元画像Ｐの各領域Ａ１〜Ａ８にそれぞれ色を割り当てるカラーマッピングを行う場合について説明する。
【００２３】
図１に戻り、情報処理部２は、グループ生成部１０と、付加情報生成部１１と、配色パターン割り当て部１２と、画像データ生成部１３と、を備える。
【００２４】
グループ生成部１０は、３色覚者及び２色覚者双方が同じ階調数で区別可能な少なくとも１つの配色パターンを用いて表示される連続領域に、複数の領域Ａ１〜Ａ８をグループ分けし、連続領域のグループを生成する。ここで、配色パターンとは、複数の色の組み合わせをいう。
【００２５】
本実施の形態では、図３に示すように、３色覚者及び２色覚者双方が同じ階調数で区別可能な配色パターンが、４つの色Ｃ１〜Ｃ４から構成されているものとする。この４つの色Ｃ１〜Ｃ４は、３色覚者であっても、２色覚者であっても、同一の階調度４で区別可能な配色パターンである。
【００２６】
４つの色Ｃ１〜Ｃ４による配色パターンには、様々なものがある。例えば、図４（Ａ）に示すように、Ｃ１＝赤色、Ｃ２＝濃灰色、Ｃ３＝濃青色、Ｃ４＝やや濃い灰色のような配色パターン用いることができる。このパターンを配色パターンＰ１とする。また、図４（Ｂ）に示すように、Ｃ１＝やや濃い灰色、Ｃ２＝黄色、Ｃ３＝薄灰色、Ｃ４＝水色のような配色パターンを用いることができる。このパターンを配色パターンＰ２とする。また、図４（Ｃ）に示すように、Ｃ１＝赤色、Ｃ２＝黄色、Ｃ３＝濃青色、Ｃ４＝水色のような配色パターンを用いることができる。このパターンを配色パターンＰ３とする。なお、配色パターンはこれには限られない。例えば、２色覚者は、赤と緑を区別することができない。したがって、配色パターンでは、赤と緑とが同時に使われることはない。
【００２７】
これらの配色パターンＰ１〜Ｐ３では、すべて、有彩色と無彩色とが交互に配列されている。このような配色パターンを採用することにより、２次元画像Ｐにおける複数の領域Ａ１〜Ａ８を見分け易くすることができる。
【００２８】
これらの配色パターンＰ１〜Ｐ３では、色は４つであるため、複数の領域Ａ１〜Ａ８は、連続する４つの領域毎にグループ分けされる。例えば、図２に示す２次元画像Ｐであれば、領域Ａ１〜Ａ４のグループＧ１と、領域Ａ５〜Ａ８のグループＧ２とにグループ分けされる。
【００２９】
図１に戻り、２次元画像Ｐのデータである２次元画像データ２０と、配色パターンＰ１〜Ｐ３を含む配色パターン２１とは、予め記憶部３に記憶されている。グループ生成部１０は、記憶部３から２次元画像データ２０を読み込んで、２次元画像Ｐから、配色されるべき複数の領域Ａ１〜Ａ８を抽出する。さらに、グループ生成部１０は、記憶部３に記憶されている配色パターン２１に基づいて、複数の領域Ａ１〜Ａ８を、隣接する領域Ａ１〜Ａ４、Ａ５〜Ａ８にグループ分けする。領域Ａ１〜Ａ８のグループ分けを示す情報は、グループ情報２２として記憶部３に記憶される。図５には、グループ情報２２の一例が示されている。図５に示すように、グループＧ１に領域Ａ１〜Ａ４が対応付けられ、グループＧ２に領域Ａ５〜Ａ８が対応付けられている。
【００３０】
付加情報生成部１１は、グループ同士を３色覚者であっても２色覚者であっても区別可能に表示するための付加情報を、生成されたグループ毎に生成する。本実施の形態では、付加情報生成部１１は、グループ毎に異なる配色パターンの表示シーケンスに関する情報を、付加情報として、各グループに付与する。この情報は、記憶部３に付加情報２３として記憶される。
【００３１】
本実施の形態では、配色パターンの表示シーケンスとして、一方のグループでは、１つの配色パターンを常時表示するものとし、残りのグループでは、２つの配色パターンを周期で切り換え表示するものとする。例えば、付加情報生成部１１は、図５に示すように、グループＧ１（領域Ａ１〜Ａ４）では、２つの配色パターンを切り換え表示するように設定し（切り換えフラグ「オン」）、グループＧ２（領域Ａ５〜Ａ８）では、１つの配色パターンを常時表示するように設定する（切り換えフラグ「オフ」）。
【００３２】
ここで、付加情報生成部１１は、グループＧ１、Ｇ２では、どちらを切り換え表示するように設定してもよい。ただし、一般的には、切り換え表示されるグループの方が目立つため、グループＧ１、Ｇ２のうち、注目させたいグループを切り換え表示するのが望ましい。例えば、２次元画像Ｐがヒートマップであり、グループＧ１の数値範囲が、グループＧ２の数値範囲よりも注目すべき数値範囲である場合には、グループＧ１が、切り換え表示されるグループとして選択されるようにするのが望ましい。
【００３３】
付加情報生成部１１は、図５に示すように、表示切り替えを行うグループＧ１については、周期Ｔ１を設定する。
【００３４】
このように、付加情報生成部１１は、表示シーケンスに関する情報として、配色パターンを切り換え表示するか否かを示す情報（切り換えフラグ）と、切り換え周期とを、グループ毎に付与する。これらの情報は付加情報２３として記憶部３に記憶される。
【００３５】
配色パターン割り当て部１２は、グループ毎に生成された付加情報２３に従って、グループ毎に配色パターンを割り当てる。本実施の形態では、図５に示すように、グループＧ１に対しては、２つの配色パターンＰ１，Ｐ２が割り当てられ、グループＧ２に対しては、配色パターンＰ３が割り当てられる。
【００３６】
ここで、切り換え表示される領域Ａ１〜Ａ４において、領域Ａ１は赤色とやや濃い灰色とに切り換え表示させ、領域Ａ２は濃灰色と黄色とに切り換え表示され、領域Ａ３は濃青色と薄灰色とに切り換え表示され、領域Ａ４はやや濃い灰色と水色とに切り換え表示される。すなわち、配色パターン割り当て部１２は、同じ領域において、有彩色と無彩色とが、切り換え表示されるように、配色パターンを割り当てている。
【００３７】
なお、配色パターンＰ１では、有彩色が赤色と濃青色と濃くなっているため、無彩色も濃灰色とやや濃い灰色となっている。また、配色パターンＰ２では、有彩色が黄色と水色と薄くなっているため、無彩色もやや濃い灰色と薄灰色と薄くなっている。このような配色により、切り換え表示した場合の配色パターンのコントラストを際立たせ、そのグループを目立たせることができる。
【００３８】
画像データ生成部１３は、グループ毎に付与された付加情報２３と、グループ毎に割り当てられた配色パターン割り当て情報２４と、に基づいて、２次元画像Ｐのカラーマッピング画像データを生成する。生成された画像データは、カラーマッピング画像データ２５として記憶部３に記憶される。
【００３９】
例えば、図６に示すように、２次元画像Ｐにおいて、領域Ａ１〜Ａ４については、周期Ｔ１で、配色パターンＰ１と配色パターンＰ２とで切り換え表示される。さらに、領域Ａ５〜Ａ８については、配色パターンＰ３を表示する。これにより、表示装置４Ａによって表示される画像は、図７（Ａ）に示す配色の画像と、図７（Ｂ）に示す配色の画像とを繰り返し表示するようになる。
【００４０】
ここで、図７（Ａ）に示すように、領域Ａ１と領域Ａ５とでは、同じ黄色で表示されるが、図７（Ｂ）に示すように、領域Ａ１は、黄色からやや濃い灰色に切り換えられるため、領域Ａ１と領域Ａ５とを明確に区別することができる。
【００４１】
表示装置４Ａは、記憶部３からカラーマッピング画像データ２５を読み込んで表示する。これにより、表示装置４Ａにおいて、図７（Ａ）に示すカラーマッピング画像データ２５と、図７（Ｂ）に示すカラーマッピング画像データ２５とが周期Ｔ１で切り換え表示される。領域Ａ５〜Ａ８では、配色パターンが切り換え表示されて、領域Ａ１〜Ａ４と区別可能となる。
【００４２】
なお、図８に示すように、カラーマッピング装置１Ａは、ハードウエア構成として、内部バス３０と、制御部３１、主記憶部３２、外部記憶部３３、操作部３４、表示部３５及び通信部３６を備える。主記憶部３２、外部記憶部３３、操作部３４、表示部３５及び通信部３６はいずれも内部バス３０を介して制御部３１に接続されている。
【００４３】
制御部３１は、ＣＰＵ（Central Processing Unit）等から構成されている。このＣＰＵが、外部記憶部３３に記憶されているプログラム３９を実行することにより、カラーマッピング装置１Ａの各構成要素が実現される。
【００４４】
主記憶部３２は、ＲＡＭ（Random-Access Memory）等から構成されている。主記憶部３２には、外部記憶部３３に記憶されているプログラム３９がロードされる。この他、主記憶部３２は、制御部３１の作業領域（データの一時記憶領域）として用いられる。
【００４５】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成される。外部記憶部３３には、制御部３１に実行させるためのプログラム３９があらかじめ記憶されている。また、外部記憶部３３は、制御部３１の指示に従って、このプログラム３９の実行の際に用いられるデータを制御部３１に供給し、制御部３１から供給されたデータを記憶する。
【００４６】
操作部３４は、キーボード及びマウスなどのポインティングデバイス等と、キーボードおよびポインティングデバイス等を内部バス３０に接続するインターフェイス装置から構成されている。操作部３４を介して、操作者が操作した内容に関する情報が制御部３１に入力される。
【００４７】
表示部３５は、ＣＲＴ（Cathode Ray Tube）またはＬＣＤ（Liquid Crystal Display）などから構成され、操作者が操作情報を入力する場合は、操作用の画面が表示される。
【００４８】
通信部３６は、シリアルインターフェイスまたはパラレルインターフェイスから構成されている。
【００４９】
カラーマッピング装置１Ａの各種構成要素は、プログラム３９が、制御部３１、主記憶部３２、外部記憶部３３、操作部３４、表示部３５及び通信部３６などをハードウエア資源として用いて実行されることによってその機能を発揮する。例えば、カラーマッピング装置１Ａのグループ生成部１０、付加情報生成部１１、配色パターン割り当て部１２及び画像データ生成部１３、すなわち情報処理部２は、制御部３１、主記憶部３２、外部記憶部３３を用いて実現されている。また、記憶部３は、外部記憶部３３を用いて実現されている。さらに、表示装置４Ａは、表示部３５を用いて実現されている。
【００５０】
次に、本発明の実施の形態に係るカラーマッピング装置１Ａの動作について説明する。
【００５１】
図９に示すように、まず、グループ生成部１０は、３色覚者及び２色覚者双方が同じ階調数で区別可能な少なくとも１つの配色パターンＰ１〜Ｐ３を用いて表示される連続領域に、複数の領域Ａ１〜Ａ８をグループ分けし、連続領域のグループＧ１，Ｇ２を生成する（ステップＳ１；グループ生成ステップ）。
【００５２】
続いて、付加情報生成部１１は、グループ同士を２色覚者でも３色覚者でも区別可能に表示するための付加情報２３を、生成されたグループ毎に生成する（ステップＳ２；付加情報生成ステップ）。
【００５３】
続いて、配色パターン割り当て部１２は、グループ毎に生成された付加情報２３に従って、グループ毎に配色パターンを割り当てる（ステップＳ３；配色パターン割り当てステップ）。これにより、配色パターン割り当て情報２４が生成される。
【００５４】
続いて、画像データ生成部１３は、グループ毎に付与された付加情報２３と、グループ毎に割り当てられた配色パターン割り当て情報２４と、に基づいて、２次元画像Ｐのカラーマッピング画像データ２５を生成する（ステップＳ４；画像データ生成ステップ）。
【００５５】
その後、表示装置４Ａは、カラーマッピング画像データ２５を表示する（ステップＳ５；表示ステップ）。
【００５６】
本実施の形態では、２次元画像Ｐにおける領域を８つとしたが、本発明はこれには限られない。領域の数は、幾つであってもよい。また、本実施の形態では、配色パターンの色の数を４つとしたが、４つには限られない。配色パターンの色は、２つ以上であればよい。また、色の数が異なる配色パターンを複数用意するようにしてもよい。この場合には、領域の数をグループによって変更することができる。
【００５７】
また、本実施の形態では、図４（Ａ）〜図４（Ｃ）に示すように、各グループに割り当てる配色パターンＰ１〜Ｐ３を配色が異なるパターンとしたが、これには限られない。グループ間で配色パターンを一部共通化するようにしてもよい。本実施の形態では、常時表示する配色パターンＰ３の配色と、切り換え表示する配色パターンＰ１，Ｐ２のいずれか一方の配色を、同一としてもよい。例えば、配色パターンＰ１，Ｐ３の配色を、色Ｃ１〜Ｃ４が全て異なり、２色覚者及び３色覚者が共通して弁別可能な有彩色又は黒以外の無彩色とすることができる。この場合、配色パターンＰ１と切り換え表示される配色パターンＰ２は、色Ｃ１〜Ｃ４を全て黒にするなど、完全に配色が異なるパターンとするのが望ましい。このように、同一の配色パターンの組み合わせをグループ間で用いても、グループ毎に配色パターンが変化する様子が異なるので、全ての領域を識別することができる。
【００５８】
以上詳細に説明したように、本実施の形態によれば、２色覚者でも３色覚者でも区別可能な配色パターンＰ１〜Ｐ３で表示された連続領域のグループＧ１，Ｇ２に、グループ同士を２色覚者でも３色覚者でも区別可能に表示する付加情報２３を付与する。このため、各グループの領域を、配色パターンＰ１〜Ｐ３及び付加情報２３に従って表示すれば、区別可能な配色パターンＰ１〜Ｐ３でグループ内の領域を表示しつつ、グループ同士も区別可能な方法で２次元画像Ｐを表示することができる。これにより、区別可能な配色の階調数を実質的に増やすことができるので、２色覚者であっても３色覚者であっても、同一の画像を、同一の階調数で区別することができるカラーユニバーサルデザインで配色されたカラーマッピング画像を表示することができる。
【００５９】
なお、グループ生成部１０が３つ以上のグループを生成した場合には、１つのグループについては１つの配色パターンを表示するが、残りのグループでは、複数の配色パターンを切り換え表示する。この場合、グループ毎に表示を切り替える周期を変更する必要がある。例えば、図１０に示すように、グループＧ１〜Ｇ３が生成された場合、グループＧ３については配色パターンＰ３が表示され、グループＧ２については、周期Ｔ１で配色パターンＰ１，Ｐ２が切り換え表示され、グループＧ３については、配色パターンＰ４，Ｐ５が周期Ｔ１より短い周期Ｔ２で切り換え表示されるようにすればよい。このようにすれば、グループＧ２の領域と、グループＧ３の領域とを、簡単に見分けることができる。なお、この場合でも、グループ間で、配色パターンを共通化することができる。
【００６０】
このように、本実施の形態では、グループ毎に異なる周期で、配色パターンＰ１、Ｐ２等を切り換え表示した。しかしながら、本発明はこれには限られない。付加情報生成部１１は、表示シーケンスに関する情報として、配色パターンを点滅表示するか否かを示す情報と、点滅表示する周期に関する情報とを、グループ毎に付与するようにしてもよい。この場合、１つのグループに割り当てる配色パターンは１つでよい。この場合、グループを生成する際に割り当てる配色パターンを決定するようにしてもよい。なお、この場合でも、配色パターンはグループ間で共通化することができるが、配色パターンの点滅周期は、グループ毎に異なるようにする必要がある。
【００６１】
実施の形態２．
次に、本発明の実施の形態２について説明する。
【００６２】
図１１に示すように、本実施の形態に係るカラーマッピング装置１Ｂの構成は、上記実施の形態１に係るカラーマッピング装置１Ａと同じである。本実施の形態では、付加情報生成部１１によって付加される付加情報２３の内容が上記実施の形態１と異なる。
【００６３】
付加情報生成部１１は、グループ毎に異なる配色パターンが形成される高さに関する情報を、付加情報２３として、グループ毎に付与する。ここで、高さとは、２次元画像Ｐの平面に直交する鉛直方向の位置をいう。図１２に示すように、配色パターンが形成される高さは、グループ毎に異なるようにする必要がある。
【００６４】
この場合、３次元プリンタ４Ｂは、図１３に示す３次元の印刷物を印刷する。図１３に示すように、２次元画像の平面をＸＹ平面とし、高さ方向をＺ軸とする。この印刷物では、各グループがその高さＨ１，Ｈ２で区別可能となっている。なお、グループが３つ以上ある場合には、印刷物の高さは、３段階以上となる。
【００６５】
このように、本実施の形態によれば、２色覚者でも３色覚者でも区別可能な配色パターンＰ１〜Ｐ３で表示された連続領域のグループＧ１，Ｇ２に、グループ同士を区別可能に表示する高さに関する付加情報２３を付与する。このため、各グループＧ１，Ｇ２の領域を、配色パターンＰ１、Ｐ２及び付加情報２３（高さＨ１，Ｈ２）に従って３次元プリンタ４Ｂで印刷すれば、区別可能な配色パターンＰ１〜Ｐ３でグループ内の領域を表示しつつ、グループ同士も区別可能な方法で表示することができる。これにより、区別可能な配色の階調数を実質的に増やすことができるので、２色覚者であっても３色覚者であっても、同一の画像を、同一の階調数で区別することができるカラーユニバーサルデザインで配色されたカラーマッピング画像を表示することができる。
【００６６】
なお、本実施の形態では、図１２及び図１３に示すように、配色パターンＰ１と配色パターンＰ２の配色を異なるようにしたが、これには限られない。高さの異なる（高さの違いを確実に識別可能な）配色パターンを共通化してもよい。このような配色パターンの組み合わせを用いても、グループ毎に高さが異なるので、全ての領域を識別することができる。
【００６７】
なお、本実施の形態では、３次元プリンタ４Ｂで３次元物体を印刷する場合について説明したが、表示装置４Ａで、図１３に示される立体物を表示するようにしてもよい。この場合、グループ毎に高さを異なるようにしつつ、グループ毎に異なる周期で、配色パターンの切り換え表示又は点滅表示を行うようにしてもよい。
【００６８】
なお、３色覚者であっても、２色覚者であっても同一の解像度で区別可能な配色パターンは、上述のものでなくてもよい。配色パターンは、明度及び彩度が異なり、色相が同系統となる複数の色で構成されるようにしてもよい。例えば、色相が赤である複数の色だけで配色パターンを構成するようにしてもよい。また、図３に示すように、グレースケールで配色パターンを構成するようにしてもよい。配色パターンをグレースケールとすれば、１色覚者でも、２色覚者、３色覚者と同じ階調度で、画像を認識することができる。
【００６９】
さらには、明度及び彩度が異なり、色相が同系統となる色と、無彩色とで配色パターンを構成するようにしてもよい。例えば、薄赤色と濃赤色と濃灰色と薄灰色とで、配色パターンを構成するようにしてもよい。
【００７０】
なお、上記各実施の形態に係るカラーマッピング装置１Ａ，１Ｂでは、様々なカラーマッピング画像データ２５を表示することができる。例えば、地図上に表示される気温分布などの各種気象データや、人口分布などの各種統計データがある。
【００７１】
その他、カラーマッピング装置１Ａ，１Ｂ（コンピュータ）のハードウエア構成やソフトウエア構成は一例であり、任意に変更および修正が可能である。
【００７２】
コンピュータの処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行するコンピュータを構成してもよい。また、インターネット等の通信ネットワーク上のサーバ装置が有する記憶装置に当該コンピュータプログラムを格納しておき、通常のコンピュータシステムがダウンロード等することでコンピュータを構成してもよい。
【００７３】
コンピュータの機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００７４】
搬送波にコンピュータプログラムを重畳し、通信ネットワークを介して配信することも可能である。たとえば、通信ネットワーク上の掲示板（BBS, Bulletin Board System）にコンピュータプログラムを掲示し、ネットワークを介してコンピュータプログラムを配信してもよい。そして、このコンピュータプログラムを起動し、ＯＳの制御下で、他のアプリケーションプログラムと同様に実行することにより、前記の処理を実行できるように構成してもよい。
【００７５】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００７６】
本発明は、複数の領域から成る２次元画像の各領域に色を割り当てるカラーマッピングを行う場合に適用することができる。
【符号の説明】
【００７７】
１Ａ，１Ｂ  カラーマッピング装置、２  情報処理部、３  記憶部、４Ａ  表示装置、４Ｂ  ３次元プリンタ、１０  グループ生成部、１１  付加情報生成部、１２  配色パターン割り当て部、１３  画像データ生成部、２０  ２次元画像データ、２１  配色パターン、２２  グループ情報、２３  付加情報、２４  配色パターン割り当て情報、２５  カラーマッピング画像データ、３０  内部バス、３１  制御部、３２  主記憶部、３３  外部記憶部、３４  操作部、３５  表示部、３６  通信部、３９  プログラム、Ａ１〜Ａ８  領域、Ｇ１，Ｇ２，Ｇ３  グループ、Ｐ  ２次元画像、Ｃ１，Ｃ２，Ｃ３，Ｃ４  色、Ｐ１，Ｐ２，Ｐ３，Ｐ４，Ｐ５  配色パターン
【図１】
2020036150.tif 000003
【図２】
2020036150.tif 000004
【図３】
2020036150.tif 000005
【図４】
2020036150.tif 000006
【図５】
2020036150.tif 000007
【図６】
2020036150.tif 000008
【図７】
2020036150.tif 000009
【図８】
2020036150.tif 000010
【図９】
2020036150.tif 000011
【図１０】
2020036150.tif 000012
【図１１】
2020036150.tif 000013
【図１２】
2020036150.tif 000014
【図１３】
2020036150.tif 000015